(57)【要約】      （修正有）【課題】コネクタ内にいくつかの遮蔽コネクタまたは遮蔽コネクタと未遮蔽コネクタをまとめるプラグインサートを形成して使用されるはんだ付けピンまたはプレス嵌めピンの狭い位置決め許容範囲を維持することを可能にするプラグインサートを提供する。【解決手段】少なくとも１つのコンタクト素子を受け取るためのプラグインサート１は少なくとも１つのコンタクト素子を少なくとも部分的に受け取るための少なくとも１つのレセプタクル７を備えプラグインサートはプラグ側３とプラグ側とは反対のコンタクト側５とを有する。電磁シールドが提供された場合、コンタクト素子のコンタクトピンの位置決め許容範囲を確保する為にプラグ側およびコンタクト側を接続するレセプタクル内でコンタクト素子のコンタクトピンを位置決めするためにプラグ側およびコンタクト側からアクセス可能な位置決め要素がレセプタクル内に少なくとも部分的に受け取られる。【選択図】図６ａ
2018022684.tif 000002
【特許請求の範囲】
【請求項１】
少なくとも１つのコンタクト素子（９）を受け取るためのプラグインサート（１）であって、前記少なくとも１つのコンタクト素子（９）を少なくとも部分的に受け取るための少なくとも１つのレセプタクル（７）を備え、プラグ側（３）と、前記プラグ側（３）とは反対のコンタクト側（５）とを有するプラグインサート（１）において、前記プラグ側（３）および前記コンタクト側（５）を接続する前記少なくとも１つのレセプタクル（７）内で、前記少なくとも１つのコンタクト素子（９）のコンタクトピン（１３）を位置決めするために前記プラグ側（３）および前記コンタクト側（５）からアクセス可能な少なくとも１つの位置決め要素（１９）が、前記少なくとも１つのレセプタクル（７）内に少なくとも部分的に受け取られていることを特徴とする、プラグインサート（１）。
【請求項２】
前記少なくとも１つの位置決め要素（１９）は、少なくとも１つの接続ウエブ（２１）によって前記レセプタクル（７）へ接続されていることを特徴とする、請求項１に記載のプラグインサート（１）。
【請求項３】
前記少なくとも１つの位置決め要素（１９）内に前記コンタクトピン（１３）を受け取るための心合わせ開口（２９ｂ）が、前記位置決め要素（１９）内に提供され、前記心合わせ開口（２９ｂ）は、前記プラグ側（３）から前記コンタクト側（５）へ連続して設計されていることを特徴とする、請求項１または２に記載のプラグインサート（１）。
【請求項４】
少なくとも２つの接続ウエブ（２１）が、前記少なくとも１つのレセプタクル（７）内で前記少なくとも１つの位置決め要素（１９）を実質的に対称に保持していることを特徴とする、請求項２または３に記載のプラグインサート（１）。
【請求項５】
前記少なくとも１つの位置決め要素（１９）の周りで円周方向（５９）に開口（５５）が位置し、前記開口（５５）は、前記プラグ側（３）から前記コンタクト側（５）へ連続して設計されていることを特徴とする、請求項１から４のいずれか一項に記載のプラグインサート（１）。
【請求項６】
前記プラグインサート（１）は、少なくとも１つのプラグ側接続ウエブ（２１ａ）および少なくとも１つのコンタクト側接続ウエブ（２１ｂ）を有し、前記少なくとも１つのプラグ側接続ウエブ（２１ａ）および前記少なくとも１つのコンタクト側接続ウエブ（２１ｂ）は、前記少なくとも１つの位置決め要素（１９）の周りで円周方向（５９）に互いに対してずれており、かつ前記プラグ側（３）またはコンタクト側（５）の方へ互いに対してずれていることを特徴とする、請求項１から５のいずれか一項に記載のプラグインサート（１）。
【請求項７】
遮蔽要素（３３ａ、３３ｂ）を少なくとも部分的に受け取るための受取りポケット（６３）が、前記レセプタクル（７）内に配置されることを特徴とする、請求項１から６のいずれか一項に記載のプラグインサート（１）。
【請求項８】
前記受取りポケット（６３）は、前記受取りポケット（６３）の１つの延出方向（６４）で、前記少なくとも１つの接続ウエブ（２１）に完全に重なり、または前記少なくとも１つの接続ウエブ（２１）を越えて延出していることを特徴とする、請求項７に記載のプラグインサート（１）。
【請求項９】
少なくとも２つの遮蔽要素（３３ａ、３３ｂ）を備える電磁シールド（１１）が提供され、前記遮蔽要素（３３ａ、３３ｂ）はそれぞれ、前記プラグ側（３）または前記コンタクト側（５）から前記少なくとも１つのレセプタクル（７）内に少なくとも部分的に受け取られて、前記電磁シールド（１１）を形成することを特徴とする、請求項１から８のいずれか一項に記載のプラグインサート（１）。
【請求項１０】
前記少なくとも２つの遮蔽要素（３３ａ、３３ｂ）はそれぞれ、前記少なくとも１つの位置決め要素（１９）と前記少なくとも１つのレセプタクル（７）の内壁（２３）との間に少なくとも部分的に配置されていることを特徴とする、請求項９に記載のプラグインサート（１）。
【請求項１１】
前記少なくとも２つの遮蔽要素（３３ａ、３３ｂ）のうちの一方の遮蔽要素の１つの端部（７７）が、前記少なくとも２つの遮蔽要素（３３ａ、３３ｂ）のうちの少なくとも１つの他方の遮蔽要素の１つの端部（７７）に少なくとも部分的に重なっていることを特徴とする、請求項９または１０に記載のプラグインサート（１）。
【請求項１２】
前記少なくとも２つの遮蔽要素（３３ａ、３３ｂ）のうちの少なくとも１つが、円周方向（５９）に１つの端部（７７）に、少なくとも１つの凹部（４１）を有し、その結果、歯部（３７）が形成されることを特徴とする、請求項９から１１のいずれか一項に記載のプラグインサート（１）。
【請求項１３】
前記プラグ側（３）から前記レセプタクル（７）内に少なくとも部分的に受け取られた前記遮蔽要素（３３ａ）の前記歯部（３７）は、前記コンタクト側（５）から前記レセプタクル（７）内に少なくとも部分的に受け取られた前記遮蔽要素（３３ｂ）の前記歯部（３７）に対して実質的に相補形になるように構成されていることを特徴とする、請求項１２に記載のプラグインサート（１）。
【請求項１４】
前記少なくとも２つの遮蔽要素（３３ａ、３３ｂ）の前記歯部（３７）は、互いに少なくとも部分的に重なっていることを特徴とする、請求項１２または１３に記載のプラグインサート（１）。
【請求項１５】
少なくとも部分的に重なる前記歯部（３７）間に、前記遮蔽要素（３３ａ、３３ｂ）の材料の厚さ（８５）より小さい間隔（８３）が存在していることを特徴とする、請求項１４に記載のプラグインサート（１）。
【発明の詳細な説明】
【技術分野】
【０００１】
本発明は、少なくとも１つのコンタクト素子を受け取るためのプラグインサートに関し、プラグインサートは、少なくとも１つのコンタクト素子を少なくとも部分的に受け取るための少なくとも１つのレセプタクルを備え、プラグインサートは、プラグ側と、プラグ側とは反対のコンタクト側とを有する。
【背景技術】
【０００２】
特に自動車産業では、ＦＡＫＲＡ（特殊な自動車用）コネクタまたはＨＳＤ（高速データ）コネクタなど、この応用分野で一般的なコネクタによって、高周波の、および／または干渉を受けやすい信号を車両バスから取り出しまたは車両バス内へ送り出すことが望ましい。この場合、使用される複数のコネクタを１つのバスアダプタ内で組み合わせると有利である。
【０００３】
この組合せは、プラグインサート内で行うことができ、プラグインサートは、車両バスで始まる通常のコネクタとのプラグ面を提供し、その結果、このプラグインサートによって、たとえばそのようなプラグ接続を有する周辺デバイスを、車両バスに接続することができる。
【０００４】
車両側では、このプラグインサートを、このために設計された回路基板に電気的に接続することが有利であり、その場合、回路基板上の表面実装およびはんだ付け、プレス嵌め、または類似の連結プロセスを可能にするために、狭い位置決め許容範囲が必要とされる。
【０００５】
従来技術の解決策では、前述の例示的なコネクタシステム（ＦＡＫＲＡ／ＨＳＤ）の入れ子型の設計のため、コンタクトの位置決め許容範囲を維持することが不可能または非常に困難なことがある。
【０００６】
さらに、前述の例示的なコネクタシステムは、好ましくは、シールドを備えており、異なるコネクタシステムをプラグインサート内で組み合わせたときシールドを有することも同様に有利である。
【発明の概要】
【発明が解決しようとする課題】
【０００７】
したがって、本発明が解決することを提案する課題は、全体的なコネクタ内にいくつかの遮蔽コネクタをまとめまたは遮蔽コネクタと未遮蔽コネクタをまとめるプラグインサートを形成して、使用されるはんだ付け用のはんだ付けピンまたはプレス嵌め用のプレス嵌めピンの狭い位置決め許容範囲を維持することを可能にすることである。
【課題を解決するための手段】
【０００８】
最初に述べた種類のプラグインサートは、プラグ側およびコンタクト側を接続する少なくとも１つのレセプタクル内で、少なくとも１つのコンタクト素子のコンタクトピンを位置決めするためにプラグ側およびコンタクト側からアクセス可能な少なくとも１つの位置決め要素が、少なくとも１つのレセプタクル内に少なくとも部分的に受け取られることから、この課題を解決する。
【０００９】
本発明によるそのような位置決め要素には、プラグインサート内に組み立てられたコネクタのはんだ付けピンが、プラグインサートに対して案内され、それらの空間位置が固定されるという利点がある。これにより、必要とされるはんだ付け許容範囲を確保することが可能になる。
【００１０】
以下、本発明の本質的に有利な実施形態について記載するものとする。記載する実施形態の技術的な特徴は、所望どおり組み合わせることができ、省略される技術的な特徴によって実現される技術的効果が重要でない限り、個々の技術的な特徴を省略することもできる。
【００１１】
レセプタクルは、プラグ側からコンタクト側へのプラグインサート内の開口として理解することができる。少なくとも１つのレセプタクル内に、プラグまたはブッシングの形式のものなど、最も異なるコンタクト素子を収容することが考えられる。
【００１２】
位置決め要素は、受け取られるコネクタの所望の幾何形状に合わせて設計することができ、すなわち、対応する数およびサイズおよび幾何形状の位置決め要素の支持部分を有することができ、したがって、プラグ、特に個々のコンタクトピンの相補形の幾何形状を、位置決め要素によって保持または支持することができる。
【００１３】
位置決め要素は、プラグ側およびコンタクト側からアクセス可能であるため、位置決めされる要素は、両側から位置決め要素内へ導入しまたは位置決め要素上に装着することができる。
【００１４】
本発明によるプラグインサートの一実施形態では、少なくとも１つの位置決め要素は、少なくとも１つの接続ウエブによってレセプタクルへ接続される。そのような接続ウエブには、位置決め要素の位置をプラグインサートに対して直接確立することができるという利点がある。
【００１５】
接続ウエブは、好ましくは、レセプタクルへ一体に接続することができ、または別個に設計し、適した手段で少なくとも１つのレセプタクル内に固定することができる。
【００１６】
本発明によるプラグインサートの別の実施形態では、少なくとも１つの位置決め要素内にコンタクトピンを受け取るための少なくとも１つの心合わせ開口が、位置決め要素内に提供され、少なくとも１つの心合わせ開口は、プラグ側からコンタクト側へ連続して設計される。心合わせ開口には、心合わせ開口内に受け取られるコンタクトピンの位置が、挿入方向に直交するすべての方向に沿って境界を画される、または確立されるという利点がある。
【００１７】
少なくとも１つの心合わせ開口は、コンタクトピンの所望の位置（所与の位置決め許容範囲内）の周りまたは所望の位置内でコンタクトピンの心合わせを可能にするという意味で理解されたい。受け取られるコンタクトピンまたは心合わせ開口の位置は、特にいくつかの心合わせ開口が提供される場合（たとえば、ＦＡＫＲＡプラグ接続の場合）、位置決め要素内で中心を外して配置することができる。
【００１８】
しかし、少なくとも１つの心合わせ開口はまた、位置決め要素内で実質的に中心に配置することができる。
【００１９】
本発明によるプラグインサートの一実施形態では、少なくとも２つの接続ウエブが、少なくとも１つのレセプタクル内で少なくとも１つの位置決め要素を実質的に対称に保持する。２つの接続ウエブの使用には、プラグインサートに対する位置決め要素の位置の安定性が著しく増大するという利点がある。少なくとも１つのコンタクト素子が挿入されるときに、位置決め要素に対してまたは位置決め要素内で少なくとも１つのコンタクト素子を固定することは、機械抵抗を伴い、この挿入プロセス中、実際上の方向は常に変動する可能性があるため、接続ウエブを対称に設計し、したがって少なくとも２つの接続ウエブが挿入プロセスによる同一の負荷を受けるように設計されることが有利である。
【００２０】
特に少なくとも１つの位置決め要素を有するプラグインサートの一体の実施形態では、プロセス技術の観点から、少なくとも２つの対称に配置された接続ウエブを提供することが有利である。一体に設計された位置決め要素を有するプラグインサートは、たとえば射出成形によって形成することができ、射出成形プロセス中、単一の接続ウエブによってプラグインサートへ接続された位置決め要素は、そのような単一の接続ウエブは射出成形ダイの除去および可能なさらなる機械加工（ばり取り）時に容易に破損し得るため、それほど有利でないはずである。
【００２１】
位置決め要素の材料に対する要件は、プラグインサートの材料に対する要件とは異なる可能性があるため、位置決め要素は、プラグインサートとは異なる材料または異なる材料組成物を有することができる。
【００２２】
したがって、位置決め要素の材料は、たとえばその電気特性、たとえば誘電率または電気抵抗に関して、最適化することができる。
【００２３】
他方では、プラグインサートの材料は、有利な機械特性、たとえば高い破壊応力および耐衝撃性を有することができる。
【００２４】
プラグインサートと位置決め要素との間の一体接続は、たとえば２ショット射出成形によって実現することができる。２ショット射出成形は、２成分射出成形としても知られている。この方法が使用されるとき、プラグインサートを第１の射出成形ステップで形成し、位置決め要素を第２の射出成形ステップで形成し、これらのプラグインサートおよび位置決め要素を一体に連結することができる。
【００２５】
本発明によるプラグインサートのさらなる実施形態では、少なくとも１つの位置決め要素の周りで円周方向に少なくとも１つの開口が位置し、少なくとも１つの開口は、プラグ側からコンタクト側へ連続して設計される。少なくとも１つの開口は、遮蔽要素を受け取るように設けることができる。さらに、位置決め要素の幾何形状に応じて、少なくとも１つの開口は、異なる断面を有することができる。したがって、たとえば、開口は、矩形、Ｎ角形、または円環の弧とすることができる。
【００２６】
特に少なくとも１つの位置決め要素が矩形の断面を有する場合、少なくとも１つの開口、好ましくは複数の開口は、位置決め要素の外形に対して相補形の形状を有することができる。
【００２７】
接続ウエブは、矩形（たとえば）の位置決め要素に様々な位置で連結することができ、したがって、開口は、矩形の１つの側端に沿ってまたは矩形の１つの角の周りにのみ延出することができる。
【００２８】
位置決め要素が円形の形状である場合、少なくとも１つの開口は、円環の弧の形状を有することができる。円環の弧とは、円環に基づく幾何形状を意味し、円環の中心から始まる２つの異なる位置で径方向に切断されている。
【００２９】
本発明によるプラグインサートのさらなる実施形態では、プラグインサートは、少なくとも１つのプラグ側接続ウエブおよび少なくとも１つのコンタクト側接続ウエブを有し、少なくとも１つのプラグ側接続ウエブおよび少なくとも１つのコンタクト側接続ウエブは、少なくとも１つの位置決め要素の周りで円周方向に互いに対してずれており、かつプラグ側またはコンタクト側の方へ互いに対してずれている。
【００３０】
互いに対する少なくとも１つのコンタクト側接続ウエブまたは少なくとも１つのプラグ側接続ウエブのずれには、プラグインサートに対する位置決め要素の取付けの安定性をさらに増大させることができるという利点がある。
【００３１】
言い換えれば、プラグインサートのこの実施形態では、少なくとも１つのプラグ側接続ウエブは、少なくとも１つのコンタクト側接続ウエブによって形成される開口内へ突出し、少なくとも１つの接続側接続ウエブは、少なくとも１つのプラグ側接続ウエブによって形成される開口内へ突出する。
【００３２】
したがって、この実施形態は、２組の接続ウエブを有し、第１の組の接続ウエブは、位置決め要素上でコンタクト側の方へ配置することができ、第２の組の接続ウエブは、位置決め要素上でプラグ側の方へ設定することができる。
【００３３】
したがって、コンタクト側接続ウエブによって形成される開口は、プラグ側接続ウエブと少なくとも部分的に境界を接することができ、プラグ側接続ウエブによって形成される開口は、コンタクト側接続ウエブと少なくとも部分的に境界を接することができる。
【００３４】
本発明によるプラグインサートのさらなる実施形態では、遮蔽要素を少なくとも部分的に受け取るための受取りポケットが、レセプタクル内に配置される。受取りポケットの実施形態には、たとえば、遮蔽要素を受取りポケット内に受け取ることができ、受取りポケットの側には別の遮蔽要素が配置され、したがって２つの遮蔽要素が重なるという利点がある。
【００３５】
受取りポケットは、レセプタクルの内周に沿って配置することができ、プラグ側またはコンタクト側の方へ開いている。
【００３６】
同様に、受取りポケットは、少なくとも１つの接続ウエブと少なくとも１つの位置決め要素との間に設計することができる。すなわち、受取りポケットは、位置決め要素の外周上に形成することができる。
【００３７】
位置決め要素の外周上に形成される受取りポケットもまた、コンタクト側またはプラグ側の方へ開くことができる。
【００３８】
受取りポケットは、少なくとも部分的に円環として形成することができ、相補形の遮蔽要素、すなわち少なくとも部分的に中空円筒である要素を受け取るように設計することができる。
【００３９】
特に、受取りポケットは、レセプタクルの内周または位置決め要素の外周の周りに完全に、すなわち途切れなく形成することができる。
【００４０】
受取りポケットの外壁は、接続ウエブ内へさらに進むことができる。したがって、そのような接続ウエブは、受取りポケットと位置決め要素との間または受取りポケットとコンタクトチャンバの内壁との間に位置することができる。
【００４１】
本発明によるプラグインサートのさらなる実施形態では、受取りポケットは、受取りポケットの１つの延出方向で、少なくとも１つの接続ウエブに完全に重なり、または少なくとも１つの接続ウエブを越えて延出する。プラグインサートのこの実施形態では、２つの遮蔽要素がプラグインサートの異なる側から受け取られた場合、この実施形態は、遮蔽要素の重なりを確保する。
【００４２】
純粋に一例として、位置決め要素の外周上に配置された受取りポケット内へ、コンタクト側から第１の遮蔽要素を挿入することができ、プラグ側からは、径方向に第１の遮蔽要素より大きい直径を有する第２の遮蔽要素が、レセプタクル内に受け取られ、位置決め要素をレセプタクルの内壁に連結する接続ウエブに当接するまで、そのように挿入することができる。第１の遮蔽要素の受取りポケットは、接続ウエブを越えてプラグ側の方向に突出することができ、さらに第２の遮蔽要素は、レセプタクル内に接続ウエブまで受け取ることができるため、第１の遮蔽要素と第２の遮蔽要素の重なりが確保される。
【００４３】
同様に、少なくとも１つの接続ウエブが円周全体の周りに連続して形成され、したがって、受取りポケットがいつもプラグ側とコンタクト側の両方に形成されることが考えられる。そのような受取りポケットはまた、レセプタクルの内壁の肩または位置決め要素の外壁の肩において円周方向に配置された溝と考えることができる。
【００４４】
本発明によるプラグインサートのさらなる実施形態では、少なくとも２つの遮蔽要素を備える電磁シールドが提供され、遮蔽要素はそれぞれ、プラグ側またはコンタクト側から少なくとも１つのレセプタクル内に少なくとも部分的に受け取られて、電磁シールドを形成する。いくつかの部分内の電磁シールド、すなわち少なくとも２つの遮蔽要素を有する電磁シールドの実施形態には、電磁シールドのこのモジュール式の配置をプラグインサートの前述した実施形態と組み合わせて使用することができ、さらに連続する電磁シールドが確保されるという利点がある。
【００４５】
したがって、本発明のこの実施形態により、いくつかの遮蔽コネクタが組み立てられまたは遮蔽コネクタと未遮蔽コネクタが組み立てられるときに電磁シールドを確保することがさらに可能になる。
【００４６】
モジュール式電磁シールドは、使用されるコネクタのワンピースシールドと実質的に同じ幾何寸法を有することができる。従来技術の解決策とは異なり、そのようなモジュール式電磁シールドは、一方の側からプラグインサート内へ導入されるのではなく、少なくとも２つの遮蔽要素はそれぞれ、プラグ側およびコンタクト側から少なくとも１つのレセプタクル内にそれぞれ受け取られる。
【００４７】
本発明によるプラグインサートのさらなる実施形態では、少なくとも２つの遮蔽要素はそれぞれ、少なくとも１つの位置決め要素と少なくとも１つのレセプタクルの内壁との間に少なくとも部分的に配置される。遮蔽要素のそのような配置には、少なくとも１つのコンタクト素子が遮蔽要素によって完全に囲まれるという利点がある。
【００４８】
好ましくは、少なくとも２つの遮蔽要素のうちの少なくとも１つは、レセプタクルの内壁上で直接境界を接することができ、したがって、一方では、電磁シールドは、プラグインサートに対してその位置で安定化または固定され、他方では、少なくとも１つのレセプタクルは、少なくとも１つのコンタクト素子を受け取るために最適に利用することができる。
【００４９】
少なくとも２つの遮蔽要素は、中空円筒として少なくとも部分的に構成することができ、または互いに組み立てたときに中空円筒をもたらす中空円筒部分となることができる。
【００５０】
本発明によるプラグインサートのさらなる実施形態では、少なくとも２つの遮蔽要素のうちの一方の遮蔽要素の１つの端部が、少なくとも２つの遮蔽要素のうちの少なくとも１つの他方の遮蔽要素の１つの端部に少なくとも部分的に重なる。そのような重なりのため、実質的に完全な電磁シールドおよび電磁シールドによって囲まれる容積の干渉抑制が確保される。前述した電気コネクタは、この容積内に位置することができる。
【００５１】
本発明によるプラグインサートのさらなる実施形態では、少なくとも２つの遮蔽要素のうちの少なくとも１つが、円周方向に１つの端部に、少なくとも１つの凹部を有し、その結果、歯部が形成される。１つまたは複数の凹部には、接続ウエブをその中に受け取ることができ、したがって、遮蔽要素の一部分である残りの歯部は、接続ウエブを越えて延出することができるという利点がある。
【００５２】
接続ウエブの数に応じて、少なくとも２つの遮蔽要素のうちの少なくとも１つは、接続ウエブの数に対応する数の凹部を備えることができる。
【００５３】
さらに、歯部を備える遮蔽要素には、接続ウエブが少なくとも１つの凹部内に機械的に係合するため、接続ウエブおよび少なくとも１つの凹部が、長手方向軸の周りで回転しなくなり、したがって、プラグ側遮蔽要素に接線方向に作用する力が、コンタクト側遮蔽要素へ伝送されないという利点がある。
【００５４】
少なくとも２つの遮蔽要素からなるモジュール式の設計によって、プラグ側遮蔽要素とコンタクト側遮蔽要素との間の回転のある程度の切り離しが、すでに提供されている。ある程度の切り離しとは、少なくとも２つの遮蔽要素間に十分な摩擦が与えられても、依然として回転が伝送される可能性があることを意味する。
【００５５】
歯部の歯は、円環の弧の形状の断面、矩形の断面、Ｎ角形の断面、または任意の他の形状の断面を有することができる。
【００５６】
少なくとも２つの遮蔽要素は、電磁シールドが組み立てられたときにフォーク状に互いに重なり、したがって間隙のないシールドを確保するような歯部を有することができる。
【００５７】
プラグインサート上またはプラグインサート内における少なくとも２つの遮蔽要素の固定は、プレス嵌めの幾何形状および／または戻り止めの幾何形状によって行うことができる。
【００５８】
本発明によるプラグインサートのさらなる実施形態では、プラグ側からレセプタクル内に少なくとも部分的に受け取られた遮蔽要素の歯部は、コンタクト側からレセプタクル内に少なくとも部分的に受け取られた遮蔽要素の歯部に対して実質的に相補形になるように構成される。歯部の相補形の実施形態により、１つの遮蔽要素の凹部を第２の遮蔽要素の歯部の歯で覆うことが可能になる。
【００５９】
さらなる実施形態では、少なくとも２つの遮蔽要素の歯部は、互いに少なくとも部分的に重なる。歯部が少なくとも部分的に重なることには、プラグインサート、特にレセプタクル、少なくとも１つの接続ウエブ、および位置決め要素をより簡単な設計にすることができるという利点がある。この実施形態は、たとえば、２つの遮蔽要素の不完全な重なりにかかわらず、すなわち電磁シールド内に自由部分が残っている状態で、遮蔽要素によって少なくとも部分的に囲まれる容積内への自由部分を介した干渉信号の投入に対する許容値を超過しない場合に選択することができる。
【００６０】
自由部分のサイズは、接続ウエブの断面のサイズに実質的に対応することができる。
【００６１】
本発明によるプラグインサートのさらなる実施形態では、少なくとも部分的に重なる歯部間に、遮蔽要素の材料の厚さより小さい間隔が存在する。
【００６２】
電磁放射が遮蔽要素の一部に当たることなく重なり領域を斜めに通過することを防止するために、遮蔽要素の重なり領域間の間隔を可能な限り小さく維持することが有利である。
【００６３】
以下、本発明によるプラグインサートについて、添付の図面を用いてより詳細に説明するものとする。これらの図面は、本発明の特有の例示的な実施形態を示す。図示する個々の実施形態の技術的な特徴は、互いに自在に組み合わせることができ、または場合により省略することができる。同じ技術的な特徴または同じ技術的な作用を有する特徴には、同じ参照番号を与える。
【図面の簡単な説明】
【００６４】
【図１】従来技術の受取りコンタクト素子を有するプラグインサートの図である。
【図２】図１のプラグインサートの背面図である。
【図３ａ】本発明によるプラグインサートの第１の実施形態の詳細の図である。
【図３ｂ】取り付けられた状態にある対応するモジュール式電磁シールドの図である。
【図４ａ】本発明によるプラグインサートの第２の実施形態の詳細の部分断面図である。
【図４ｂ】本発明によるプラグインサートの第２の実施形態の詳細の正面図である。
【図５】図４の第２の実施形態に対する取り付けられた状態にあるモジュール式電磁シールドの図である。
【図６ａ】本発明によるプラグインサートの第３の実施形態の詳細の部分断面斜視図である。
【図６ｂ】本発明によるプラグインサートの第３の実施形態の詳細の部分断面斜視図である。
【図７ａ】図６の詳細の背面図である。
【図７ｂ】取り付けられた状態にある対応するモジュール式電磁シールドの図である。
【図８】図７のモジュール式電磁シールドが装着された本発明によるプラグインサートの図６に示す詳細の断面図である。
【図９ａ】モジュール式電磁シールドを有するコンタクト素子の断面図である。
【図９ｂ】モジュール式電磁シールドを有するコンタクト素子の斜視図である。
【図１０】装着されたコンタクトピンおよび取り付けられるモジュール式電磁シールドを有する本発明によるプラグインサートの図である。
【発明を実施するための形態】
【００６５】
図１は、従来技術のプラグインサート１を示す。このプラグインサート１は、プラグ側３およびコンタクト側５を有する。図示のプラグインサート１は、８つのレセプタクル７を備えている。より見やすいように、８つのレセプタクル７のうちの２つのみに参照番号を与えている。
【００６６】
レセプタクル７は、コンタクト素子９を受け取ることができる。この場合も、図示の８つのコンタクト素子９のうちの２つのみに参照番号を与えている。
【００６７】
図１は、異なる種類のコンタクト素子９をプラグインサート１内に受け取ることができることを示す。図１の実施形態は、ＦＡＫＲＡコネクタ９ａとして設計された７つのコンタクト素子９と、ＨＳＤコネクタ９ｂとして設計された１つのコンタクト素子９とを示す。
【００６８】
図１に示すすべてのコンタクト素子９は、電磁シールド１１と、電磁シールド１１内に受け取られた少なくとも１つのコンタクトピン１３とを有する。
【００６９】
コンタクト素子９は、プラグインサートのそれぞれのレセプタクル７内へコンタクト側５から挿入することができる。ここで、図１に示す従来技術のプラグインサートの実施形態では、コンタクトピン１３の位置決めは、電磁シールド１１を介して間接的にのみ行われる。
【００７０】
図２は、図１に示すプラグインサート１を、背面図で、すなわちコンタクト側５から見て示す。
【００７１】
従来技術のプラグインサート１の図示の実施形態では、レセプタクル７が、７つのＦＡＫＲＡレセプタクル７ａおよび１つのＨＳＤレセプタクル７ｂを有することが理解される。ＨＳＤレセプタクル７ｂは、レセプタクル７の直径ｄが異なる点だけが、ＦＡＫＲＡレセプタクル７ａと異なる。
【００７２】
従来技術のプラグインサート１のレセプタクル７は連続しており、すなわちコンタクト側５からプラグ側３へ延出する。
【００７３】
図３ａおよび図３ｂは、本発明によるプラグインサート１の詳細１５を示し、図２では、詳細１５の位置が破線で示されている。
【００７４】
プラグインサート１の詳細１５は、プラグインサート１のベース本体１７と、レセプタクル７と、レセプタクル内に少なくとも部分的に受け取られた位置決め要素１９とを示す。
【００７５】
詳細１５は、レセプタクル７の内側が見えるように、部分的に切断されている。レセプタクル７内に受け取られた位置決め要素１９は、この切断による影響を受けていない。
【００７６】
位置決め要素１９は、４つの接続ウエブ２１によって、レセプタクル７の内壁２３に連結される。接続ウエブ２１は、図３に示す第１の実施形態では、プラグ側３を向いている位置決め要素１９の端部、すなわちプラグ側端部２５に配置される。位置決め要素１９のコンタクト側端部２７は、レセプタクル７からプラグインサート１のベース本体１７を越えてコンタクト側５の方へ突出する。コンタクト側端部２７では、位置決め要素１９は、プラグインサート１のベース本体１７に連結されていない。
【００７７】
位置決め要素１９は、中空円筒２９として構成され、側面２９ａおよび心合わせ開口２９ｂを有する。心合わせ開口２９ｂは、プラグ側３からコンタクト側５へ連続する。
【００７８】
さらに、図３ａおよび図３ｂに示す本発明によるプラグインサート１の実施形態は、コンタクト側５の方へ配置された一体構成の縁部３１を有し、縁部３１は、レセプタクル７の内壁２３上の円周全体にわたって形成される。
【００７９】
図３ｂは、モジュール式電磁シールド１１ａとして設計された電磁シールド１１を示す。
【００８０】
図示の実施形態では、モジュール式電磁シールド１１ａは、２つの遮蔽要素３３を備え、１つのプラグ側遮蔽要素３３ａが、実質的に中空円筒２９として構成され、コンタクト側遮蔽要素３３ｂが、プラグ側遮蔽要素３３ａ内に少なくとも部分的に受け取られる。
【００８１】
図３ｂに示すモジュール式電磁シールド１１ａは、取り付けられた状態３５で示されており、すなわち、プラグ側遮蔽要素３３ａとコンタクト側遮蔽要素３３ｂの相対位置は、図３ａに示すレセプタクル７内に受け取られたときの２つの要素３３ａ、３３ｂの互いに対する相対位置に厳密に対応する。
【００８２】
より見やすいように、プラグインサート１は、モジュール式電磁シールド１１ａの図には示されていない。
【００８３】
図示の実施形態では、プラグ側遮蔽要素３３ａは歯部３７を有し、歯部３７は、４つの歯３９および４つの凹部４１を備える。ＦＡＫＲＡコネクタ９ａとしての実施形態のために、図示のテーパリング４２が設けられる。
【００８４】
コンタクト側遮蔽要素３３ｂは、遮蔽領域４３およびベース領域４５を備える。
【００８５】
２つの遮蔽要素３３ａ、３３ｂは、重なり領域４７を形成し、モジュール式電磁シールド１１ａの図示の実施形態は、遮蔽要素３３ａ、３３ｂによって囲まれる容積Ｖのシールドが一部分に存在しない自由部分４９を有する。
【００８６】
図３ｂは、プラグインサート１なしで示されているため、取り付けられた状態３５で存在するモジュール式電磁シールド１１ａの位置について、ここでは簡単に論じるものとする。
【００８７】
取り付けられた状態３５で、プラグ側遮蔽要素３３ａは、プラグ側３からレセプタクル７内へ挿入される。４つの接続ウエブ２１は、プラグ側遮蔽要素３３ａの４つの凹部４１内に受け取られる。プラグ側遮蔽要素３３ａは、各凹部４１内に存在する凹部当接面５１が、接続ウエブ２１の１つに存在するプラグ側当接面５３に当たるのに十分なほど遠くまで、レセプタクル７内に受け取られ、したがって、プラグ側遮蔽要素３３ａの歯３９は、接続ウエブ２１間に形成された開口５５内に受け取られる。
【００８８】
コンタクト側遮蔽要素３３ｂの遮蔽領域４３は、コンタクト側５からレセプタクル７内に受け取られ、遮蔽領域４３は、コンタクト側端部２７から始まり、位置決め要素１９を少なくとも部分的に受け取る。遮蔽領域４３は、示されていない当接面（図３ｂの左側を向いている遮蔽領域４３の円筒の上縁部）が、接続ウエブ２１のコンタクト側当接面５７に当たるまで、位置決め要素１９の中空円筒を通って動かされる。接続ウエブ２１のコンタクト側当接面５７は、プラグ側当接面５３に対向して配置され、コンタクト側５の方を向いている。
【００８９】
図３ｂに示す自由部分４９は、接続ウエブ２１が自由部分４９内に位置し、これらの部分で電磁シールド１１を遮ることから、モジュール式電磁シールド１１ａの取り付けられた状態３５で接続ウエブ２１のために形成される。
【００９０】
図４ａおよび図４ｂは、図３の第１の実施形態と同じ詳細図１５で、本発明によるプラグインサート１の第２の実施形態を示す。
【００９１】
図３ａおよび図３ｂの第１の実施形態とは異なり、図４ａおよび図４ｂに表されるプラグインサート１は、４つのプラグ側接続ウエブ２１ａおよび４つのコンタクト側接続ウエブ２１ｂを有する。
【００９２】
プラグ側接続ウエブ２１ａは、プラグ側開口５５ａを形成し、コンタクト側接続ウエブ２１ｂは、コンタクト側開口５５ｂを形成する。プラグ側接続ウエブ２１ａは、コンタクト側開口５５ｂ内へまたはコンタクト側開口５５ｂを通って突出し、コンタクト側接続ウエブ２１ｂは、プラグ側開口５５ａを通って突出する。
【００９３】
図４ｂは、第２の実施形態のプラグインサート１を正面図で示し、プラグ側接続ウエブ２１ａとコンタクト側接続ウエブ４１ｂとの間の円周方向５９のずれ５８を認識することができる。同様に、上述したように、接続ウエブ２１ａ、２１ｂはそれぞれ、開口５５ｂ、５５ａ内へ開口５５ｂ、５５ａを通って突出することを認識することができる。より見やすいように、１つのプラグ側開口５５ａおよび１つのコンタクト側開口５５ｂのみを示す。これらはそれぞれ、破線によって囲まれている。コンタクト側開口５５ｂは、部分的に覆われていることに留意されたい。
【００９４】
図５は、モジュール式電磁シールド１１ａを、取り付けられた状態３５であるがプラグインサート１なしで示す。図５に示す実施形態では、モジュール式電磁シールド１１ａは同様に、プラグ側遮蔽要素３３ａおよびコンタクト側遮蔽要素３３ｂを有し、プラグ側遮蔽要素３３ａは、図３に示す第１の実施形態のものに実質的に同一であるが、図示の第２の実施形態では、コンタクト側遮蔽要素３３ｂは同様に、凹部４１および歯部３７を有する。
【００９５】
重なり領域４７と境界を接する自由部分４９が、重なり領域の両側に形成され、したがって、図示の実施形態では、電磁シールド１１の合計８つの自由部分が形成される。
【００９６】
プラグインサート１のレセプタクル７内でのプラグ側遮蔽要素３３ａの受け取りは、図３に示すプラグ側遮蔽要素３３ａの挿入と同様に行われるものであり、これについてはすでに上述している。
【００９７】
図５に示す第２の実施形態のコンタクト側遮蔽要素３３ｂは、コンタクト側５からレセプタクル７内へ導入され、したがって、歯３９（図５は２つの歯３９を示し、２つの追加の歯３９を隠している）は、コンタクト側開口５５ｂ内へ導入される。同時に、コンタクト側接続ウエブ２１ｂは、コンタクト側遮蔽要素３３ｂの凹部４１内に受け取られる。
【００９８】
したがって、取り付けられた状態３５で、接続ウエブ２１ａ、２１ｂは、図５に示す自由部分４９を通って延出する。プラグ側遮蔽要素３３ａとコンタクト側遮蔽要素３３ｂの両方が、プラグ側接続ウエブ２１ａとコンタクト側接続ウエブ２１ｂの両方に当たる。
【００９９】
図６ａおよび図６ｂは、本発明によるプラグインサート１の第３の実施形態を２つの異なる斜視図に詳細１５で示す。
【０１００】
プラグインサート１の第３の実施形態は、４つの接続ウエブ２１を有する。接続ウエブ２１は、左側の図では大部分が隠れているが、図６ｂの拡大図６１によく見られる。第３の実施形態の位置決め要素１９は、中空円筒２９とカラー壁６５との間に形成された受取りポケット６３を有し、受取りポケット６３は、円周方向５９および延出方向６４に延出する。ポケットの断面は、実質的にＵ字状である。
【０１０１】
図６ａおよび図６ｂに示す実施形態の接続ウエブ２１は、プラグ側３では、カラー壁６５上に形成された長手方向の支柱６７内へ進み、コンタクト側５では、レセプタクル７の内壁２３上に形成された長手方向の支柱６７内へ進む。レセプタクル７は、円周方向のカラー６９内へ進み、接続ウエブ２１、長手方向の支柱６７、およびカラー６９によって境界を画される容積Ｖを、受取り容積ＶＡと呼ぶことができる。この受取り容積ＶＡ内では、いつも、取り付けられた状態３５で、プラグ側遮蔽要素３３ａの歯３９が受け取られる。図７では、受取り容積ＶＡを破線で示す。カラー６９は、前述した縁部３１に対応する。
【０１０２】
図３ａおよび図３ｂ、図４ａおよび図４ｂ、ならびに図６ａおよび図６ｂに表すプラグインサート１の実施形態のカラー６９は、プラグ側３の方へ向けられた対応するカラー６９の内壁をその歯部３７によって押すそれぞれのプラグ側遮蔽要素３３ａを受け取るための限界７１として働く。
【０１０３】
図７ａおよび図７ｂは、図６ａおよび図６ｂのプラグインサート１の背面図ならびにコンタクト側から見たモジュール式電磁シールド１１ａを示す。背面図は、心合わせ開口２９ｂ、中空円筒２９、受取りポケット６３、カラー壁６５、および接続ウエブ２１を示す。さらに、受取り容積ＶＡを示し、左上の領域には、部分的に隠れた接続ウエブ２１のサイズを示す。接続ウエブ２１は、周辺のカラー６９によって部分的に隠されている。さらに、図７ａは切断線７３を示す。これについては、図８でもう一度論じるものとする。
【０１０４】
図７ｂは、取り付けられた状態３５にあるモジュール式電子シールド１１ａをさらに示し、本発明によるプラグインサートの第３の実施形態では、自由部分４９のない完全なシールド７５が提供される。
【０１０５】
図３ａおよび図３ｂの第１の実施形態ならびに図４ａおよび図４ｂの第２の実施形態と同様に、プラグ側遮蔽要素３３ａは、レセプタクル７内に受け取られ、それにより歯３９は開口５５内へ導入され、同時に接続ウエブ２１は凹部４１内へ導入される。第３の実施形態でも同様に、取り付けられた状態３５で、接続ウエブ２１のプラグ側当接面５３は、プラグ側遮蔽要素３３ａの凹部当接面５１に接触する（図６ｂ参照）。第３の実施形態のコンタクト側遮蔽要素３３ｂの遮蔽領域４３は、受取りポケット６３内に受け取られ、取り付けられた状態３５にあるコンタクト側遮蔽要素３３ｂの１つの端部７７は、プラグ側３の方向にプラグ側遮蔽要素３３ａの凹部当接面５１を越えて延出する。
【０１０６】
図８は、受け取ったモジュール式電磁シールド１１ａを有する本発明によるプラグインサート１の断面図８１を、取り付けられた状態３５で示す。断面図８１は、図７に示す切断線７３に沿って得られる。
【０１０７】
図８は、コンタクト側遮蔽要素３３ｂの端部７７が、受取りポケット６３内に完全に受け取られ、接続ウエブ２１が、プラグ側３の方向に突出することを示す。プラグ側遮蔽要素３３ａの歯３９は、コンタクト側５の方向に接続ウエブ２１を迂回して受取り容積ＶＡ内に受け取られる。第３の実施形態は、取り付けられた状態３５で自由部分４９を示さず、したがって完全なシールド７５が得られる。
【０１０８】
ここまで示したプラグインサート１のすべての実施形態は、支持カラー７９を有し、支持カラー７９内に、プラグ側遮蔽要素３３ａが少なくとも部分的に受け取られて支持される。支持カラー７９は、プラグ側遮蔽要素３３ａに形状嵌めされる。プラグ側遮蔽要素３のうちプラグインサート１のプラグ側３から突出する領域は、ＦＡＫＲＡコネクタ９ａ向けに設計された幾何形状を有する。
【０１０９】
図８のプラグインサート１の第３の実施形態は、レセプタクル７内の受取りポケット６３に対する可能な設計を表す。示されていない別の実施形態は、レセプタクル７の内壁２３（図６参照）と位置決め要素１９との間に受取りポケット６３を形成する。示されていない受取りポケット６３の実施形態の第２の可能性では、カラー壁６５上に形成された長手方向の支柱６７（図６の拡大図６１参照）が、円周方向５９全体に形成される。
【０１１０】
図９ａおよび図９ｂは、取り付けられた状態３５にあり完全なシールド７５を有するＦＡＫＲＡコネクタ９ａおよび図９に示す切断線７３に沿って切り取った断面図８１を示す。遮蔽されたＦＡＫＲＡコネクタ９ａは、モジュール式電磁シールド１１ａ内で内向きにずれて受け取られた１つのコンタクトピン１３を備える。
【０１１１】
断面図８１は、第３の実施形態でも同様に、コンタクト側遮蔽要素３３ｂが歯部３７を有することができることを示す。さらに、プラグ側遮蔽要素３３ａの歯３９とコンタクト側遮蔽要素３３ｂの歯３９との間に、関与する各遮蔽要素３３ａ、３３ｂの材料の厚さ８５より小さい間隔８３が存在することを見ることができる。これにより、完全なシールド７５が確保される。
【０１１２】
図１０は、コンタクトピン１３が位置決め要素１９内にすでに受け取られた本発明によるプラグインサート１を示す。すでに上述したように、プラグ側遮蔽要素３３ａは、プラグ側３からレセプタクル７内へ挿入される。コンタクト側遮蔽要素３３ｂは同様に、コンタクト側５からレセプタクル７内へ挿入され、したがって、取り付けられた状態（図９参照）で、所望の完全なシールド７５が実現される。
【０１１３】
図１０に示すプラグインサート１は、２つのみに参照番号与えた７つのＦＡＫＲＡレセプタクル７ａと、１つのＨＳＤレセプタクル７ｂとを組み合わせている。
【０１１４】
ここで、プラグインサート１の幾何形状およびサイズは、組み合わせたコネクタの数、それらの配置、および個々の異なるコネクタを組み合わせるプラグの幾何形状に依存する。
【０１１５】
したがって、本発明によるプラグインサートは、異なるサイズおよび形状の任意の所与の数のレセプタクル７を有することができ、したがって任意の所与の数の異なるまたは同一のコネクタを１つのプラグインサート内で組み合わせることができる。
【符号の説明】
【０１１６】
１  プラグインサート
３  プラグ側
５  コンタクト側
７  レセプタクル
７ａ  ＦＡＫＲＡレセプタクル
７ｂ  ＨＳＤレセプタクル
９  コンタクト素子
９ａ  ＦＡＫＲＡコネクタ
９ｂ  ＨＳＤコネクタ
１１  電磁シールド
１１ａ  モジュール式電磁シールド
１３  コンタクトピン
１５  プラグインサートの詳細
１７  ベース本体
１９  位置決め要素
２１  接続ウエブ
２３  内壁
２５  プラグ側端部
２７  コンタクト側端部
２９  中空円筒
２９ａ  側面
２９ｂ  心合わせ開口
３１  縁部
３３  遮蔽要素
３３ａ  プラグ側遮蔽要素
３３ｂ  コンタクト側遮蔽要素
３５  取り付けられた状態
３７  歯部
３９  歯
４１  凹部
４２  テーパリング
４３  遮蔽領域
４５  ベース領域
４７  重なり領域
４９  自由部分
５１  凹部当接面
５３  プラグ側当接面
５５  開口
５５ａ  プラグ側開口
５５ｂ  コンタクト側開口
５７  コンタクト側当接面
５８  ずれ
５９  円周方向
６１  拡大図
６３  受取りポケット
６４  延出方向
６５  カラー壁
６７  長手方向の支柱
６９  カラー
７１  限界
７３  切断線
７５  完全なシールド
７７  端部
７９  支持カラー
８１  断面図
８３  間隔
８５  材料の厚さ
ｄ  直径
Ｖ  容積
ＶＡ  受取り容積
【図１】
2018022684.tif 000003
【図２】
2018022684.tif 000004
【図３ａ】
2018022684.tif 000005
【図３ｂ】
2018022684.tif 000006
【図４ａ】
2018022684.tif 000007
【図４ｂ】
2018022684.tif 000008
【図５】
2018022684.tif 000009
【図６ａ】
2018022684.tif 000010
【図６ｂ】
2018022684.tif 000011
【図７ａ】
2018022684.tif 000012
【図７ｂ】
2018022684.tif 000013
【図８】
2018022684.tif 000014
【図９ａ】
2018022684.tif 000015
【図９ｂ】
2018022684.tif 000016
【図１０】
2018022684.tif 000017
【外国語明細書】
2018022684000001.pdf